(57)【要約】【課題】高さ寸法の小型化を図る。【解決手段】回路基板２６の第１面は、主として第１種類の回路部品が実装される第１領域Ｓ１と、第１領域Ｓ１に比べて第１種類の回路部品よりも第２種類の回路部品が実装される割合が高い第２領域Ｓ２とを有する。内ケース３は、回路基板２６における第１面と反対の第２面に対向する第１壁３１と、第１壁３１の周縁から第１壁３１の厚み方向に沿って起立する第２壁３２とを有する。内ケース３は、回路基板２６の第１面における第１領域Ｓ１と対向する第３壁３３と、回路基板２６の第１面における第２領域Ｓ２と対向し、かつ、第３壁３３よりも回路基板２６の第１面との距離が短い第４壁３４とを有する。電源端子台７０は、第１壁３１の厚み方向に沿って第４壁３４と対向する位置に配置されている。【選択図】        図２
2019121517.tif 000002
【特許請求の範囲】
【請求項１】
光源と、
電線を介して外部電源と電気的に接続される電源端子台と、
前記電源端子台を介して前記外部電源から供給される電力で前記光源を点灯させる点灯装置と、
前記点灯装置を収容する内ケースと、
前記内ケースを収容する外ケースと
を備え、
前記点灯装置は、
プリント配線板からなる回路基板と、
前記回路基板に実装される複数の回路部品と
を有し、
前記複数の回路部品は、
前記回路基板の第１面に実装される第１種類の回路部品と、
前記第１種類の回路部品よりも背の低い第２種類の回路部品と
を含み、
前記回路基板の第１面は、
主として前記第１種類の回路部品が実装される第１領域と、
前記第１領域に比べて前記第１種類の回路部品よりも前記第２種類の回路部品が実装される個数の割合が高い第２領域と
を有し、
前記内ケースは、
前記回路基板における前記第１面と反対の第２面に対向する第１壁と、
前記第１壁を囲むように前記回路基板の厚み方向に沿って起立する第２壁と、
前記回路基板の前記第１面における前記第１領域と対向する第３壁と、
前記回路基板の前記第１面における前記第２領域と対向し、かつ、前記第３壁よりも前記回路基板の前記第１面との距離が短い第４壁と
を有し、
前記電源端子台は、前記回路基板の厚み方向に沿って前記第４壁と対向する位置に配置されている、
照明装置。
【請求項２】
前記内ケースは、電気絶縁性を有する材料で形成されている、
請求項１記載の照明装置。
【請求項３】
前記外ケースは、不燃物で形成されている、
請求項１又は２記載の照明装置。
【請求項４】
前記点灯装置は、少なくとも半導体スイッチ素子、チョークコイル及び電解コンデンサを有するコンバータ回路を備え、
前記第１種類の回路部品は、少なくとも前記チョークコイル及び前記電解コンデンサを含む、
請求項１〜３のいずれか１項に記載の照明装置。
【請求項５】
前記内ケースは、前記回路基板の厚み方向に沿って、前記第２領域に実装されている前記第１種類の回路部品と対向する第５壁を有する、
請求項１〜４のいずれか１項に記載の照明装置。
【請求項６】
前記電源端子台は前記外ケース内に収容されている、
請求項１〜５のいずれか１項に記載の照明装置。
【請求項７】
前記電源端子台が固定される固定板を備え、
前記内ケースは、前記固定板を支持する支持部を有する、
請求項６記載の照明装置。
【請求項８】
前記電源端子台は、前記電線の導体が差し込まれる差込孔を有するねじなし端子台であり、
前記固定板は、前記差込孔に対する前記導体の差込方向を前記第２壁の厚み方向に平行させるように前記電源端子台が固定されている、
請求項７記載の照明装置。
【発明の詳細な説明】
【技術分野】
【０００１】
本発明は、照明装置に関し、より詳細には、電源装置を収容した内ケースを外ケースに収容した照明装置に関する。
【背景技術】
【０００２】
従来例として特許文献１記載の照明器具を例示する。特許文献１記載の照明器具は、天井に埋め込まれる筐体と、筐体内に収容されるコントロールユニットケースと、バッテリと、電源端子台とを備えている。コントロールユニットケースには、電源端子台を介して供給される商用交流電源でバッテリを充電する充電回路やバッテリから供給される電力で光源を点灯する昇圧チョッパ回路などを構成する非常用回路基板が収容されている。
【０００３】
非常用回路基板は、昇圧チョッパ回路を構成するチョークコイルなどの挿入実装部品と、スイッチング素子をスイッチング制御する制御ＩＣなどの表面実装部品とが片面に配置されている。非常用回路基板は、コントロールユニットケース内に起立した状態で収容されている。
【先行技術文献】
【特許文献】
【０００４】
【特許文献１】特開２０１７−１６８５１号公報
【発明の概要】
【発明が解決しようとする課題】
【０００５】
ところで、埋込型の照明器具が取り付けられる部材（天井材や壁材など）の裏側（天井裏や壁裏）における上下方向のスペースが少ない場合を考慮して、照明器具（照明装置）の高さ寸法を小さくすることが望まれる。
【０００６】
本発明の目的は、高さ寸法の小型化を図ることができる照明装置を提供することである。
【課題を解決するための手段】
【０００７】
本発明の一態様に係る照明装置は、光源と、電線を介して外部電源と電気的に接続される電源端子台と、前記電源端子台を介して前記外部電源から供給される電力で前記光源を点灯させる点灯装置とを備える。前記照明装置は、前記点灯装置を収容する内ケースと、前記内ケースを収容する外ケースとを備える。前記点灯装置は、プリント配線板からなる回路基板と、前記回路基板に実装される複数の回路部品とを有する。前記複数の回路部品は、前記回路基板の第１面に実装される第１種類の回路部品と、前記第１種類の回路部品よりも背の低い第２種類の回路部品とを含む。前記回路基板の第１面は、主として前記第１種類の回路部品が実装される第１領域と、前記第１領域に比べて前記第１種類の回路部品よりも前記第２種類の回路部品が実装される個数の割合が高い第２領域とを有する。前記内ケースは、前記回路基板における前記第１面と反対の第２面に対向する第１壁と、前記第１壁を囲むように前記回路基板の厚み方向に沿って起立する第２壁と、前記回路基板の前記第１面における前記第１領域と対向する第３壁とを有する。前記内ケースは、前記回路基板の前記第１面における前記第２領域と対向し、かつ、前記第３壁よりも前記回路基板の前記第１面との距離が短い第４壁を有する。前記電源端子台は、前記回路基板の厚み方向に沿って前記第４壁と対向する位置に配置されている。
【発明の効果】
【０００８】
本発明の照明装置は、高さ寸法の小型化を図ることができるという効果がある。
【図面の簡単な説明】
【０００９】
【図１】図１は、本発明の一実施形態に係る照明装置の斜視図である。
【図２】図２は、同上の照明装置の分解斜視図である。
【図３】図３は、同上の照明装置の断面図である。
【図４】図４は、同上の照明装置における点灯装置の上面図である。
【図５】図５は、同上の照明装置を示し、外ケースを省略し内ケースを破断した上面図である。
【図６】図６は、同上の照明装置を示し、外ケースを省略した斜視図である。
【図７】図７は、同上の照明装置における点灯装置の回路構成図である。
【発明を実施するための形態】
【００１０】
本発明の一実施形態に係る照明装置１について、図１〜図７を参照して詳細に説明する。以下の説明では、特に断りのない限り、図２において矢印で示す前後、左右、上下の向きを照明装置１の前後、左右、上下の向きとみなす。ただし、下記の実施形態において説明する各図は模式的な図であり、各構成要素の大きさや厚さそれぞれの比が必ずしも実際の寸法比を反映しているとは限らない。なお、以下の実施形態で説明する構成は本発明の一例にすぎない。本発明は、以下の実施形態に限定されず、本発明の効果を奏することができれば、設計等に応じて種々の変更が可能である。
【００１１】
本実施形態の照明装置１は、高層ビルや大型商業施設などの建物に設置され、当該建物に設置されている非常用電源から電源供給を受けて非常時照明を行う、いわゆる電源別置形非常時用照明器具である。すなわち、照明装置１は、図１に示すように、建物内の天井材Ａ１に設けられた埋込孔Ａ１１に一部分を埋め込むようにして天井材Ａ１（天井）に設置される。
【００１２】
照明装置１は、図１及び図２に示すように、光源ブロック１０と、点灯装置２と、点灯装置２を収容する内ケース３と、端子ブロック７と、光源ブロック１０、内ケース３及び端子ブロック７を収容する外ケース６とを備える。照明装置１は、カバー８３と、一対の支持具８２とを、更に備える。
【００１３】
光源ブロック１０は、光源であるＬＥＤ（Light Emitting Diode）１１と、ＬＥＤ１１を支持するＬＥＤホルダ１２と、レンズ１３と、レンズ１３を支持するレンズホルダ１４と、放熱板１５と、放熱シート１６とを有している（図２及び図３参照）。ＬＥＤ１１は、例えば、パッケージ型の照明用白色ＬＥＤである。ただし、光源は、ＬＥＤに限定されず、有機エレクトロルミネセンス素子などのＬＥＤ以外の固体発光素子であってもかまわない。
【００１４】
放熱板１５は、多角形状（例えば、八角形状）の平板部１５０と、一対の固定部１５１とを有している。ただし、平板部１５０と一対の固定部１５１とは、例えば、アルミニウム製又はアルミニウム合金製の板材によって一体に形成されている。一対の固定部１５１は四角形状であって、平板部１５０の複数の辺のうちの隣り合わない２つの辺から各々下向きに突出するように形成されている。また、各固定部１５１には、ねじ穴（雌ねじ１５２）が各固定部１５１の厚み方向に貫通している（図２及び図３参照）。
【００１５】
平板部１５０の下面に、ＬＥＤ１１を支持するＬＥＤホルダ１２が取り付けられる。ただし、ＬＥＤ１１と平板部１５０との間には放熱シート１６が配置される（図３参照）。したがって、ＬＥＤ１１の発する熱が放熱シート１６を介して放熱板１５に伝導される。
【００１６】
レンズ１３は、ＬＥＤ１１から放射される光の配光を制御する。レンズ１３は、ＬＥＤ１１を覆うようにレンズホルダ１４によって放熱板１５の平板部１５０の下面に取り付けられる。レンズホルダ１４は、ねじ止めによって平板部１５０に固定される。
【００１７】
カバー８３は、アルミニウムのような金属材料により、中央に円形の窓孔８３０を有する円板状に形成されている（図１及び図３参照）。カバー８３の上面に光源ブロック１０が取り付けられる。光源ブロック１０は、レンズ１３の一部を窓孔８３０に挿通した状態で複数本のねじで放熱板１５がカバー８３にねじ止めされることによってカバー８３に取り付けられる。
【００１８】
端子ブロック７は、電源端子台７０と、固定板７１と、２本の電線７２とを有している。電源端子台７０は、例えば、ねじなし端子台で構成されている。この種のねじなし端子台（速結端子台とも呼ばれる。）は、直方体形状に形成され、２対の１次側（電源側）の差込孔７００と、２対の２次側（負荷側）の差込孔７０１とを一面（前面）に有している。つまり、電源端子台７０は、それぞれの差込孔７００、７０１に導体（例えば、銅製の単線）を差し込むだけで導体との電気的な接続を完了させることができる。電源端子台７０の２次側の差込孔７０１には２次側の２本の電線７２の各導体が１つずつ差し込まれる（図２参照）。電源端子台７０の１次側の２対の差込孔７００には、非常用電源からの給電が行われる一対の電線（不図示）の導体と、送り配線用の一対の電線（不図示）の導体とが各々１つずつ差し込まれる。
【００１９】
固定板７１は、第１固定片７１１、第２固定片７１２、第３固定片７１３、一対の支持片７１４を有している。第１固定片７１１、第２固定片７１２、第３固定片７１３、一対の支持片７１４は、亜鉛鋼板のような金属板によって一体に形成されている。
【００２０】
第１固定片７１１は長方形状に形成されている。第２固定片７１２は、長円形を長軸に沿って２等分した形状に形成されている。第２固定片７１２は、第１固定片７１１の上端から後方へ突出している。
【００２１】
第２固定片７１２の長手方向（左右方向）の中央にねじ穴７１２０が設けられている（図２参照）。また、第２固定片７１２には、第２固定片７１２の長手方向におけるねじ穴７１２０の両側に突起７１２１がそれぞれ１つずつ設けられている。各突起７１２１は第２固定片７１２の上面より上に突出している。
【００２２】
第３固定片７１３は矢印形状に形成されている。第３固定片７１３は、第１固定片７１１の下端から後方へ突出している（図６参照）。
【００２３】
一対の支持片７１４はそれぞれ幅細の長方形状に形成されている。各支持片７１４は、第１固定片７１１の下端における左端と右端からそれぞれ１つずつ下方へ突出している（図２参照）。
【００２４】
第１固定片７１１の前面に電源端子台７０が固定される。より詳しくは、電源端子台７０は、差込孔７００、７０１が設けられている面（前面）と反対の面（後面）を第１固定片７１１の前面に当てるようにして第１固定片７１１にねじ止めされている（図３参照）。
【００２５】
外ケース６は、例えば亜鉛鋼板又はステンレス鋼板などの１枚の板金に打ち抜き加工を施し、かつ、曲げ加工を施すことにより形成される。外ケース６は、図１〜図３に示すように、全体として、下面が開口し、かつ上部を底部とする上下方向に長い有底筒状に形成されている。外ケース６の上部における前面及び後面には、それぞれ四角形状の窓６２が設けられている。そして、端子ブロック７が外ケース６に収容された状態では、外ケース６の前面の窓６２を通して、電源端子台７０の２対の差込孔７００が外ケース６の外に露出する（図１参照）。
【００２６】
外ケース６は、多角形状（例えば、八角形状）の底板６０と、２つの側板６１とを有している。底板６０の後端部には円形のねじ挿通穴６００と、一対の矩形の位置決め孔６０１とが設けられている。ねじ挿通穴６００は、底板６０の後端部における左右方向の中央を上下方向に貫通している。一対の位置決め孔６０１は、底板６０の後端部において、ねじ挿通穴６００の左右両側に１つずつ配置され、かつ、底板６０を上下方向に貫通している（図２参照）。各位置決め孔６０１には、固定板７１の第２固定片７１２に設けられている２つの突起７１２１が下から１つずつ挿入される（図２参照）。そして、各位置決め孔６０１に各突起７１２１が挿入されることにより、底板６０のねじ挿通穴６００と固定板７１の第２固定片７１２のねじ穴７１２０とが上下方向に重なるように、底板６０に対して第２固定片７１２が位置決めされる。そして、底板６０のねじ挿通穴６００に上から挿通される固定ねじ８１が第２固定片７１２のねじ穴７１２０にねじ込まれることにより、底板６０と固定板７１（の第２固定片７１２）が固定される（図３参照）。
【００２７】
各側板６１は、底板６０と繋がっており、外ケース６の側部を構成している。各側板６１は、上下方向に長い矩形状の５つの片（第１片６１１、第２片６１２、第３片６１３、第４片６１４、及び第５片６１５）を有している。言い換えれば、外ケース６は、第１片６１１、第２片６１２、第３片６１３、第４片６１４、及び第５片６１５を２つずつ有している。各側板６１において、これら５つの片６１１〜６１５は一体に形成されている（図２参照）。
【００２８】
一方の側板６１の第１片６１１の上端が底板６０の左端に繋がっている。また、他方の側板６１の第１片６１１の上端が底板６０の右端に繋がっている。各側板６１の第１片６１１には、支持具８２が１つずつ取り付けられている。
【００２９】
第２片６１２の後端と第１片６１１の前端とが繋がっている。第３片６１３の前端と第１片６１１の後端とが繋がっている。第２片６１２の前端に第４片６１４が繋がっている。第３片６１３の後端に第５片６１５が繋がっている。左側の側板６１の第２片６１２の下端に円形のねじ挿通穴６３が設けられている（図２参照）。右側の側板６１の第３片６１３の下端にも円形のねじ挿通穴が設けられている。各ねじ挿通穴６３に取付ねじ８０が１本ずつ挿通される。ねじ挿通穴６３に挿通された取付ねじ８０は、放熱板１５の固定部１５１に設けられた雌ねじ１５２にねじ込まれる。つまり、外ケース６は、左側の側板６１の第２片６１２及び右側の側板６１の第３片６１３が放熱板１５の一対の固定部１５１に１つずつねじ止めされることにより、放熱板１５に固定されている。
【００３０】
ここで、左右の側板６１の各々の第４片６１４は隙間６４を挟んで隣り合っている。同様に、左右の側板６１の各々の第５片６１５も隙間６４を挟んで隣り合っている（図２参照）。つまり、各側板６１は、隙間６４の分だけ左右方向に変位可能である。したがって、各側板６１の第４片６１４同士及び第５片６１５同士が繋がっている場合と比較して、外ケース６と放熱板１５との寸法差に対する各側板６１の変形量（歪み量）を抑制することができる。
【００３１】
内ケース３は、図２に示すように、内ケースボディ４と、内ケースカバー５とを有している。内ケース３は、内ケースボディ４と内ケースカバー５が上下方向に結合されることによって、おおよそ中空の角筒状に形成されている。なお、内ケースボディ４及び内ケースカバー５は、電気絶縁性を有する材料、例えば、ポリプロピレンなどの合成樹脂材料によって形成されることが好ましい。
【００３２】
内ケースボディ４は、多角形状（図示例では八角形状）の底壁（第１壁３１）と、第１壁３１の周縁から上向きに立ち上がる周壁４０とを有している（図２及び図３参照）。内ケースボディ４内には回路基板２６が収容されている。回路基板２６は、第１壁３１に相似する形状、すなわち、八角形状のプリント配線板で構成されている。回路基板２６の第１面（上面）及び第２面（下面）にはプリント配線（不図示）が形成され、かつ、後述する複数種類の回路部品が実装（挿入実装及び表面実装）されている。なお、回路基板２６の第２面と内ケースボディ４の内底面（第１壁３１の上面）の間の空間には、電気絶縁性を有する合成樹脂（例えば、ウレタン樹脂）が充填されることが好ましい。
【００３３】
内ケースカバー５は、内ケースボディ４の周囲を部分的に囲む側壁（第２壁３２）と、第２壁３２の上端と繋がる第３壁３３と、第２壁３２の内周面と繋がる第４壁３４とを有している。第３壁３３は、上下方向から見て、第１壁３１に相似する形状（八角形状）を前後方向に２等分した場合の後ろ側の形状と等しい形状に形成されている。また、第４壁３４は、上下方向から見て、第１壁３１に相似する形状（八角形状）を前後方向に２等分した場合の前側の形状と等しい形状に形成されている。
【００３４】
第４壁３４は第３壁３３よりも下に位置しており、第３壁３３の前端と第４壁３４の後端とが上下方向に沿った縦壁５１を介して繋がっている。縦壁５１の左右両端は第２壁３２と繋がっている。なお、第２壁３２は、第４壁３４の左端及び右端よりも上には存在しない。つまり、内ケースカバー５は、第４壁３４の上方向と左右方向とに開放されている。
【００３５】
内ケースカバー５は、第５壁３５と、一対の支持部５０を更に有している。第５壁３５は、第４壁３４の右後方から上向きに、かつ、第４壁３４と平行するように突出している。第５壁３５は、上下方向から見て、おおよそ四角形状に形成されている。なお、第５壁３５の周縁は、第４壁３４及び第２壁３２と繋がっている。
【００３６】
一対の支持部５０は、上下方向から見てＬ字形状に形成されている（図５及び図６参照）。一対の支持部５０は、縦壁５１の左端及び右端のそれぞれから前方へ突出し、かつ、前後方向に沿って縦壁５１と隙間を空けて対向するように形成されている。つまり、一対の支持部５０は、固定板７１の一対の支持片７１４を縦壁５１との間の隙間に収めた状態
で各支持片７１４を支持するように構成されている（図６参照）。
【００３７】
内ケースボディ４と内ケースカバー５が上下方向に結合されることで内ケース３が構成されている。なお、本実施形態の照明装置１においては、内ケースボディ４の周壁４０と、内ケースカバー５の第２壁３２とが内ケース３の第１壁３１（内ケースボディ４の底壁）を囲む第２壁に相当する。ただし、内ケース３は、内ケースカバー５のみで第１壁３１の周囲を囲むように構成されてもかまわない。
【００３８】
次に、図７の回路図を参照して点灯装置２の回路構成を説明する。点灯装置２は、コンバータ回路２０、制御回路２１、制御電源回路２２、整流回路２３、出力コネクタ２４、一対の入力端子２５などを有している。
【００３９】
一対の入力端子２５は、例えば、回路基板２６を第１面から第２面に貫通するスルーホール（不図示）と、回路基板２６の第２面においてスルーホールの周囲に形成されるランドとをそれぞれ有している。各入力端子２５では、回路基板２６の第１面から第２面に向かって挿通された電線７２の導体がランドにはんだ接合されることにより、回路基板２６の第２面に形成されている配線用の導体と電気的に接続されている。
【００４０】
一方の入力端子２５にフューズＦ１の一端が電気的に接続されている。フューズＦ１の他端には第１のサージアブソーバＺＮＲ１の一端とコンデンサＣ１の一端とが電気的に接続されている。また、第１のサージアブソーバＺＮＲ１の他端とコンデンサＣ１の他端とが他方の入力端子２５と電気的に接続されている。コンデンサＣ１は、例えば、フィルムコンデンサである。
【００４１】
整流回路２３は、例えば、ダイオードブリッジで構成されている。整流回路２３の一対の入力端子がコンデンサＣ１の両端と電気的に接続されている。整流回路２３の一対の出力端子には、第１インダクタＬ１とコンデンサＣ２が電気的に直列接続されている。
【００４２】
コンバータ回路２０は、例えば、バック・ブースト・コンバータ（昇降圧チョッパ）回路で構成されている。ただし、コンバータ回路２０は昇圧チョッパ回路や降圧チョッパ回路などで構成されてもかまわない。コンバータ回路２０は、Ｎチャネル・エンハンスメント形ＭＯＳＦＥＴ（metal-oxide-semiconductor field-effect transistor）からなるスイッチ素子Ｑ１を有している。コンバータ回路２０は、第２インダクタＬ２と、ダイオードＤ１と、出力コンデンサＣ３とを更に有している。出力コンデンサＣ３は、例えば、アルミニウ電解コンデンサで構成されている。第２インダクタＬ２は、コア付きのチョークコイルで構成されている。
【００４３】
スイッチ素子Ｑ１のドレインは第２インダクタＬ２の一端と電気的に接続されている。スイッチ素子Ｑ１のソースは第１インダクタＬ１とコンデンサＣ２の接続点と電気的に接続されている。スイッチ素子Ｑ１のゲート・ソース間には抵抗器Ｒ１４が電気的に接続されている。第２インダクタＬ２の他端は、整流回路２３の低電位側の出力端子、及び出力コンデンサＣ３の高電位側の端子と電気的に接続されている。出力コンデンサＣ３の低電位側の端子はダイオードＤ１のアノードと電気的に接続されている。ダイオードＤ１のカソードは、抵抗器Ｒ４を介してスイッチ素子Ｑ１のソースと電気的に接続されている。出力コンデンサＣ３の両端が出力コネクタ２４と電気的に接続されている。出力コネクタ２４は、２つのコンタクトを有しており、一方のコンタクトが出力コンデンサＣ３の高電位側の端子と電気的に接続され、他方のコンタクトが出力コンデンサＣ３の低電位側の端子と電気的に接続されている。
【００４４】
制御回路２１は、コンバータ回路２０のスイッチ素子Ｑ１をスイッチング制御するように構成されている。制御回路２１は、電源電圧入力端子(ＶＣＣ)、ゲート駆動出力端子（ＯＵＴ）、グランド端子（ＧＮＤ）、ゼロ電流検出入力端子（ＣＳ）及びエラーアンプ入力端子（ＦＢ）を有する。制御回路２１は、制御電源回路２２より電源電圧入力端子（ＶＣＣ）に所定の電圧値の制御電源電圧が供給されているときに動作する。制御回路２１は、電源電圧入力端子（ＶＣＣ）に所定の電圧値の制御電源電圧が供給されていないときに停止する。制御回路２１では、電源電圧入力端子（ＶＣＣ）に入力する制御電源電圧が所定の電圧値を超えると、スイッチ素子Ｑ１のスイッチングを開始する。また、電源電圧入力端子（ＶＣＣ）がグランド端子（ＧＮＤ）と短絡されて、グランドレベルまで落ちると、スイッチ素子Ｑ１のスイッチングを停止する。また、制御回路２１は、例えば電流臨界モードでコンバータ回路２０のスイッチ素子Ｑ１をスイッチング制御する。電流臨界モードとは、スイッチ素子Ｑ１をオフしているときに第２インダクタＬ２から出力コンデンサＣ３に流れる回生電流がゼロになったときに、スイッチ素子Ｑ１を再びオンとする制御方式である。なお、制御回路２１のゼロ電流検出入力端子（ＣＳ）には、抵抗器Ｒ４の両端電圧が回生電流の検出値として入力されている。ただし、このような電流臨界モードの制御方式については、従来周知であるから詳細な説明は省略する。なお、制御回路２１は、汎用の集積回路で構成されることが好ましい。このような集積回路は、例えば、ルネサスエレクトロニクス株式会社製のＬＥＤ照明用コントロールＩＣ（型番：Ｒ２Ａ２０１３４）などが好適である。ただし、このような制御回路２１は、従来周知であるから、詳細な回路構成及び動作の図示並びに説明は省略する。
【００４５】
制御電源回路２２は、蓄電池などの非常用電源から供給される直流電力より制御回路２１の制御電源電圧を生成するように構成されている。
【００４６】
制御電源回路２２は、少なくとも２つのダイオードＤ２、Ｄ３と、３つの抵抗器Ｒ１、Ｒ２、Ｒ３と、電解コンデンサからなるコンデンサＣ４と、ツェナーダイオ−ドＺＤ１とを有している。ダイオードＤ２のアノードは、第１インダクタＬ１とコンデンサＣ２の接続点と電気的に接続されている。ダイオードＤ２のカソードは、抵抗器Ｒ１の一端と電気的に接続されている。抵抗器Ｒ１の他端は、コンデンサＣ４の高電位側の端子と電気的に接続されている。コンデンサＣ４の高電位側の端子は、ツェナーダイオ−ドＺＤ１のカソードと電気的に接続されている。コンデンサＣ４の低電位側の端子は、ツェナーダイオ−ドＺＤ１のアノードと電気的に接続される。すなわち、ツェナーダイオ−ドＺＤ１は、コンデンサＣ４に対して、電気的に並列接続されている。ダイオードＤ３のアノードは出力コンデンサＣ３の高電位側の端子と電気的に接続されている。ダイオードＤ３のカソードは抵抗器Ｒ３の一端と電気的に接続されている。抵抗器Ｒ３の他端はコンデンサＣ４の高電位側の端子と電気的に接続されている。ツェナーダイオ−ドＺＤ１のアノードは、制御回路２１のグランド端子（ＧＮＤ）と電気的に接続されている。ツェナーダイオ−ドＺＤ１のカソードは、制御回路２１の電源電圧入力端子（ＶＣＣ）と電気的に接続されている。
【００４７】
制御電源回路２２は、コンバータ回路２０の出力電圧が安定するまでの期間は、非常用電源からダイオードＤ２を介して充電されるコンデンサＣ４の充電電圧を、ツェナーダイオードＺＤ１で定電圧化して制御電源電圧を生成するように構成されている。また、制御電源回路２２は、コンバータ回路２０の出力電圧が安定した後は、コンバータ回路２０の出力電圧によってダイオードＤ３を介して充電されるコンデンサＣ４の充電電圧を、ツェナーダイオードＺＤ１で定電圧化して制御電源電圧を生成するように構成されている。
【００４８】
ここで、点灯装置２を構成する様々な回路部品のうち、相対的に背の高い回路部品を第１種類の回路部品と呼び、第１種類の回路部品よりも背の低い回路部品を第２種類の回路部品と呼ぶ場合がある。第２種類の回路部品には、抵抗器Ｒ１、…を構成しているチップ抵抗器、制御回路２１を構成している表面実装形のＬＥＤ照明用コントロールＩＣ、表面実装形の２つのサージアブソーバＺＮＲ１、ＺＮＲ２が含まれる。さらに、第２種類の回路部品には、整流回路２３を構成している表面実装形のダイオードブリッジ、スイッチ素子Ｑ１を構成している表面実装形のＭＯＳＦＥＴが含まれる。一方、第１種類の回路部品には、コンデンサＣ１を構成するフィルムコンデンサ、出力コンデンサＣ３を構成するアルミニウム電解コンデンサ、平滑コンデンサＣ４を構成する電解コンデンサが含まれる。また、第１種類の回路部品には、第１インダクタＬ１を構成している円筒形状のインダクタ、第２インダクタＬ２を構成しているコア付きのインダクタ、リード端子付きのフューズＦ１が含まれる。
【００４９】
本実施形態において、回路基板２６の第２面（下面）には第２種類の回路部品（例えば、整流回路２３、スイッチ素子Ｑ１など）のみが実装されている。一方、回路基板２６の第１面（上面）には、第１種類の回路部品と第２種類の回路部品とが混在して実装されている。ただし、回路基板２６の第１面には、主として第１種類の回路部品が実装される第１領域Ｓ１と、第１領域Ｓ１に比べて第１種類の回路部品よりも第２種類の回路部品が実装される個数の割合が高い第２領域Ｓ２とが存在する（図４参照）。第１領域Ｓ１は、回路基板２６の第１面を前後方向に略２等分する仮想の直線Ｘ１よりも後方の領域である。また、第２領域Ｓ２は、直線Ｘ１よりも前方の領域である（図４参照）。
【００５０】
回路基板２６の第１面における第１領域Ｓ１には、第１種類の回路部品として、コンデンサＣ１、出力コンデンサＣ３、フューズＦ１、第１インダクタＬ１が実装されている。また、回路基板２６の第１面における第１領域Ｓ１には、第２種類の回路部品として、２つのサージアブソーバＺＮＲ１、ＺＮＲ２が実装されている。一方、回路基板２６の第１面における第２領域Ｓ２には、第１種類の回路部品として、第２インダクタＬ２、平滑コンデンサＣ４、出力コネクタ２４が実装されている。また、回路基板２６の第１面における第２領域Ｓ２には、第２種類の回路部品として、制御回路２１、抵抗器Ｒ１、…を構成するチップ抵抗器（不図示）などが実装されている。
【００５１】
点灯装置２が内ケース３に収容されている状態では、上から見て、回路基板２６の第１領域Ｓ１が内ケース３の第３壁３３と重なり、回路基板２６の第２領域Ｓ２が内ケース３の第４壁３４と重なっている（図２、図３及び図５参照）。したがって、内ケース３の第１壁３１から第３壁３３までの高さ（上下方向の距離。以下同じ。）は、第１領域Ｓ１に存在する第１種類の回路部品のうちで最も背の高い回路部品（出力コンデンサＣ３）の背の高さよりも高ければよい。一方、内ケース３の第１壁３１から第４壁３４までの高さは、第２領域Ｓ２に存在する回路部品のうちで最も背の高い回路部品の背の高さよりも高ければよい。ここで、回路基板２６の第２領域Ｓ２には第１種類の回路部品も実装されているので、第２領域Ｓ２に存在する回路部品のうちで最も背の高い回路部品は第１種類の回路部品（本実施形態では第２インダクタＬ２）となる。ゆえに、本来であれば、内ケース３の第１壁３１から第４壁３４までの高さは、第２インダクタＬ２の背の高さよりも高くなければならない。しかしながら、本実施形態における内ケース３は、第１壁３１からの高さが第２インダクタＬ２の背の高さよりも高い第５壁３５を第２インダクタＬ２の上方に有している（図３及び図５参照）。つまり、内ケース３は第２インダクタＬ２の上に第５壁３５を有しているので、第４壁３４の高さを第５壁３５の高さよりも低くすることができる。
【００５２】
次に、照明装置１の組立手順を説明する。まず、組立作業を行う作業者は、カバー８３の上面に光源ブロック１０をねじ止めして取り付ける（図２参照）。続いて、作業者は、点灯装置２（回路基板２６）を収容した内ケースボディ４を放熱板１５にねじ止めして取り付ける。その後、作業者は、内ケースボディ４に内ケースカバー５を結合して内ケース３を組み立てる。このとき、作業者は、回路基板２６の第１面から引き出されている２本の電線７２を、内ケース３の第２壁３２と第４壁３４の左端に設けられている溝３６に挿通して第４壁３４の上に２本の電線７２を引き出す（図２参照）。そして、作業者は、２本の電線７２の導体を電源端子台７０の差込孔７０１に差し込んで２本の電線７２を電源端子台７０に結線する。
【００５３】
続いて、作業者は、電源端子台７０に固定板７１をねじ止めして取り付ける。作業者は、固定板７１の一対の支持片７１４を、内ケース３の一対の支持部５０と縦壁５１の間の隙間に上から挿入し、固定板７１を一対の支持部５０に支持させる。ここで、作業者は、内ケース３の第３壁３３から上向きに突出する一対の係止爪３７を、固定板７１の第３固定片７１３に設けられている一対の貫通穴７１３０に一つずつ挿通する。各係止爪３７は、第３固定片７１３の上面における各貫通穴７１３０の周辺部分に引っ掛かる。その結果、固定板７１は、一対の係止爪３７に係止されて内ケース３に仮止めされる。
【００５４】
次に、作業者は内ケース３の上から外ケース６を被せ、外ケース６の２つのねじ挿通穴６３にそれぞれ１本ずつ挿通した取付ねじ８０を放熱板１５の固定部１５１の雌ねじ１５２にねじ込む。このとき、固定板７１の支持片７１４が一対の支持部５０に支持されることて固定板７１が内ケース３に仮止めされているので、固定板７１と外ケース６のねじ止め作業の作業性の向上を図ることができる。
【００５５】
最後に、作業者は、底板６０のねじ挿通穴６００に上から固定ねじ８１を挿通し、第２固定片７１２のねじ穴７１２０にねじ込むことによって底板６０と固定板７１（の第２固定片７１２）とを固定ねじ８１で固定する。以上のような手順で照明装置１の組立作業が完了する。
【００５６】
上述のようにして組み立てられた照明装置１において、電源端子台７０は、内ケース３の第４壁３４及び第５壁３５の上に配置されている（図３参照）。したがって、照明装置１は、内ケース３の第３壁３３の上に電源端子台７０が配置される場合に比べて、外ケース６の高さを抑える（低くする）ことにより、高さ寸法（上下方向の寸法）の小型化を図ることができる。
【００５７】
ところで、照明装置１においては、外ケース６に収容された電源端子台７０の２対の差込孔７００が、外ケース６の前面の窓６２を通して外ケース６の外に露出している（図１参照）。しかも、電源端子台７０は、各差込孔７００に電線の導体が差し込まれる方向（電源端子台７０の差込孔７００が開口する面と垂直な方向）を前後方向（水平方向）とほぼ平行させるように外ケース６に収容されている。そのため、差込孔７００、７０１を通して電源端子台７０の内部に塵埃などの異物が進入することを抑制することができる。さらに、天井裏のスペース（特に高さ方向のスペース）が少ない場合、電源端子台７０の差込孔７００に差し込まれた電線を電源端子台７０から水平方向（天井材Ａ１と平行な方向）に引き出すことができる。例えば、電線の導体が差し込まれる方向が上向き又は下向きであった場合、電源端子台７０に結線された電線が９０°に近い角度に曲げられる必要があり、電源端子台７０に対する電線の結線作業の作業性が低下する可能性がある。一方、本実施形態の照明装置１では、各差込孔７００に電線の導体が差し込まれる方向を水平方向とほぼ平行させるように電源端子台７０を外ケース６に収容しているので、電源端子台７０に対する電線の結線作業の作業性の向上を図ることができる。
【００５８】
上述のように本発明の第１の態様に係る照明装置（１）は、光源（ＬＥＤ１１）と、電線を介して外部電源と電気的に接続される電源端子台（７０）と、電源端子台（７０）を介して外部電源から供給される電力で光源を点灯させる点灯装置（２）とを備える。第１の態様に係る照明装置（１）は、点灯装置（２）を収容する内ケース（３）と、内ケース（３）を収容する外ケース（６）とを備える。点灯装置（２）は、プリント配線板からなる回路基板（２６）と、回路基板（２６）に実装される複数の回路部品とを有する。複数の回路部品は、回路基板（２６）の第１面に実装される第１種類の回路部品と、第１種類の回路部品よりも背の低い第２種類の回路部品とを含む。回路基板（２６）の第１面は、主として第１種類の回路部品が実装される第１領域（Ｓ１）と、第１領域（Ｓ１）に比べて第１種類の回路部品よりも第２種類の回路部品が実装される個数の割合が高い第２領域（Ｓ２）とを有する。内ケース（３）は、回路基板（２６）における第１面と反対の第２面に対向する第１壁（３１）と、第１壁（３１）を囲むように第１壁（３１）の厚み方向に沿って起立する第２壁（３２）とを有する。内ケース（３）は、回路基板（２６）の第１面における第１領域（Ｓ１）と対向する第３壁（３３）と、回路基板（２６）の第１面における第２領域（Ｓ２）と対向し、かつ、第３壁（３３）よりも回路基板（２６）の第１面との距離が短い第４壁（３４）とを有する。電源端子台（７０）は、第１壁（３１）の厚み方向に沿って第４壁（３４）と対向する位置に配置されている。
【００５９】
第１の態様に係る照明装置（１）は、第１壁（３１）の厚み方向に沿った第３壁（３３）と第４壁（３４）との第１壁（３１）からの距離の差分に応じて、高さ寸法の小型化を図ることができる。
【００６０】
本発明の第２の態様に係る照明装置（１）は、第１の態様との組合せにより実現され得る。第２の態様に係る照明装置（１）において、内ケース（３）は、電気絶縁性を有する材料で形成されていることが好ましい。
【００６１】
第２の態様に係る照明装置（１）は、回路基板（２６）及び回路部品と内ケース（３）との電気絶縁性を考慮する必要がないので、内ケース（３）の設計の自由度の向上を図ることができる。
【００６２】
本発明の第３の態様に係る照明装置（１）は、第１又は第２の態様との組合せにより実現され得る。第３の態様に係る照明装置（１）において、外ケース（６）は、不燃物で形成されていることが好ましい。
【００６３】
第３の態様に係る照明装置（１）は、外ケース（６）が不燃物で形成されているので、非常時用照明に使用することができる。
【００６４】
本発明の第４の態様に係る照明装置（１）は、第１〜第３の態様のいずれか一つとの組合せにより実現され得る。第４の態様に係る照明装置（１）において、点灯装置（２）は、少なくとも半導体スイッチ素子（スイッチ素子Ｑ１）、インダクタ（第２インダクタＬ２）及び電解コンデンサ（出力コンデンサＣ３）を有するコンバータ回路（２０）を備える。第１種類の回路部品は、少なくとも第２インダクタＬ２及び出力コンデンサＣ３を含むことが好ましい。
【００６５】
第４の態様に係る照明装置（１）は、インダクタ及び電解コンデンサのような背の高い回路部品を第１種類の回路部品に含むので、高さ寸法の更なる小型化を図ることができる。
【００６６】
本発明の第５の態様に係る照明装置（１）は、第１〜第４の態様のいずれか一つとの組合せにより実現され得る。第５の態様に係る照明装置（１）において、内ケース（３）は、第１壁（３１）の厚み方向に沿って、第２領域（Ｓ２）に実装されている第１種類の回路部品と対向する第５壁（３５）を有することが好ましい。
【００６７】
第５の態様に係る照明装置（１）は、第１壁（３１）の厚み方向に沿った第４壁（３４）の第１壁（３１）からの距離の増加を抑えて高さ寸法の更なる小型化を図ることができる。
【００６８】
本発明の第６の態様に係る照明装置（１）は、第１〜第５の態様のいずれか一つとの組合せにより実現され得る。第６の態様に係る照明装置（１）において、電源端子台（７０）は外ケース（６）内に収容されていることが好ましい。
【００６９】
第６の態様に係る照明装置（１）は、電源端子台（７０）への異物の付着を抑制することができる。
【００７０】
本発明の第７の態様に係る照明装置（１）は、第６の態様との組合せにより実現され得る。第７の態様に係る照明装置（１）において、電源端子台（７０）が固定される固定板（７１）を備えることが好ましい。内ケース（３）は、固定板（７１）を支持する支持部（５０）を有することが好ましい。
【００７１】
第７の態様に係る照明装置（１）は、支持部（５０）によって内ケース（３）に固定板（７１）が支持されるので、内ケース（３）に電源端子台（７０）を仮保持させることで組立作業の作業性の向上を図ることができる。
【００７２】
本発明の第８の態様に係る照明装置（１）は、第７の態様との組合せにより実現され得る。第８の態様に係る照明装置（１）において、電源端子台（７０）は、電線の導体が差し込まれる差込孔（７００）を有するねじなし端子台であることが好ましい。固定板（７１）は、差込孔（７００）に対する導体の差込方向を第２壁（３２）の厚み方向に平行させるように電源端子台（７０）が固定されていることが好ましい。
【００７３】
第８の態様に係る照明装置（１）は、内ケース（３）の第２壁（３２）の厚み方向を水平方向にほぼ平行させるように設置された場合、電源端子台（７０）に対する電線の結線作業の作業性の向上を図ることができる。
【符号の説明】
【００７４】
１  照明装置
２  点灯装置
３  内ケース
６  外ケース
１１  ＬＥＤ（光源）
２６  回路基板
３１  第１壁
３２  第２壁
３３  第３壁
３４  第４壁
３５  第５壁
５０  支持部
７０  電源端子台
７１  固定板
７００  差込孔
Ｑ１  半導体スイッチ素子
Ｌ２  第２インダクタ（インダクタ）
Ｃ３  出力コンデンサ（電解コンデンサ）
Ｓ１  第１領域
Ｓ２  第２領域
【図１】
2019121517.tif 000003
【図２】
2019121517.tif 000004
【図３】
2019121517.tif 000005
【図４】
2019121517.tif 000006
【図５】
2019121517.tif 000007
【図６】
2019121517.tif 000008
【図７】
2019121517.tif 000009